(57)【要約】  本開示の一実施形態に係るコンタクトレンズは、眼球に装着されるレンズ部と、レンズ部に設けられ、生体情報を取得する取得部と、取得部で取得された生体情報を、人体に装着される外部機器に出力する出力部とを備えている。出力部は、レンズ部の表面に沿って延在する１または複数のコイルアンテナと、１または複数のコイルアンテナに直列もしくは並列に接続されるキャパシタとを有している。
2019069555.tif 000002
【特許請求の範囲】
【請求項１】
眼球に装着されるレンズ部と、
レンズ部に設けられ、生体情報を取得する取得部と、
前記取得部で取得された前記生体情報を外部機器に出力する出力部と
を備え、
前記出力部は、前記レンズ部の表面に沿って延在する１または複数のコイルアンテナと、前記１または複数のコイルアンテナに直列もしくは並列に接続されるキャパシタとを有する
コンタクトレンズ。
【請求項２】
前記１または複数のコイルアンテナは、前記レンズ部の端縁に沿って配置されている
請求項１に記載のコンタクトレンズ。
【請求項３】
前記１または複数のコイルアンテナは、
絶縁層を間にして互いに対向配置された２つの第１配線層と、
前記絶縁層と同一の層内に設けられ、前記２つの第１配線層を互いに電気的に接続する接続部と
を含んで構成されている
請求項１に記載のコンタクトレンズ。
【請求項４】
前記キャパシタは、前記２つの第１配線層と同一の層内に設けられた、２つの第２配線層によって構成されている
請求項３に記載のコンタクトレンズ。
【請求項５】
コンタクトレンズと通信を行う通信部を備え、
前記通信部は、延在方向が互いに異なる複数のコイルアンテナと、各前記コイルアンテナと直列もしくは並列に接続されるキャパシタとを有する
アクセサリ。
【請求項６】
当該アクセサリは、当該アクセサリが身体に装着されたときに各前記コイルアンテナと前記コンタクトレンズとの位置関係が一意に決まらない形態となっているか、または、腕、指もしくは脚に装着されるものである
請求項５に記載のアクセサリ。
【請求項７】
当該アクセサリは、ネックレス、ブレスレット、イヤリング、指輪、または、腕時計である
請求項６に記載のアクセサリ。
【請求項８】
コンタクトレンズと通信を行う通信部を備えたアクセサリであって、
前記通信部は、当該アクセサリが身体に装着されたときに前記コンタクトレンズと通信可能な方向に延在するコイルアンテナと、前記コイルアンテナと直列もしくは並列に接続されたキャパシタとを有する
アクセサリ。
【請求項９】
当該アクセサリは、当該アクセサリが身体に装着されたときに前記コイルアンテナと前記コンタクトレンズとの位置関係が一意に決まる形態となっている
請求項８に記載のアクセサリ。
【請求項１０】
当該アクセサリは、イヤホン、ネックレス、眼鏡、ネクタイピン、バッジ、ヘッドセット、帽子、ヘルメット、シュノーケル用のマスク、スキー用のゴーグル、着け毛、または、カツラである
請求項９に記載のアクセサリ。
【発明の詳細な説明】
【技術分野】
【０００１】
本開示は、コンタクトレンズおよびアクセサリに関する。
【背景技術】
【０００２】
近年、コンタクトレンズを用いて生体情報を取得する方法が開発されている。
【先行技術文献】
【特許文献】
【０００３】
【特許文献１】国際公開ＷＯ２０１４／１８１５６８
【発明の概要】
【０００４】
ところで、コンタクトレンズから周辺機器にデータを送信する場合、通常、無線通信が利用される。コンタクトレンズが眼球に装着されている場合には、コンタクトレンズが涙で濡れているので、コンタクトレンズから送出されたデータを遠くまで飛ばすことが容易ではない。データの出力レベルを増大することも考えられるが、そのようにした場合には、消費電力や人体への影響が問題となる。従って、消費電力や人体への影響を抑えつつ、データ送信可能なコンタクトレンズおよびアクセサリを提供することが望ましい。
【０００５】
本開示の一実施形態に係るコンタクトレンズは、眼球に装着されるレンズ部と、レンズ部に設けられ、生体情報を取得する取得部と、取得部で取得された生体情報を、人体に装着される外部機器に出力する出力部とを備えている。出力部は、レンズ部の表面に沿って延在する１または複数のコイルアンテナと、１または複数のコイルアンテナに直列もしくは並列に接続されるキャパシタとを有している。
【０００６】
本開示の一実施形態に係るコンタクトレンズでは、レンズ部に設けられた取得部で取得された生体情報が、人体に装着される外部機器に出力される。これにより、出力レベルを低く抑えることが可能となる。また、キャパシタが１または複数のコイルアンテナに直列もしくは並列に接続されるので、磁界結合を利用した無線通信が可能となる。
【０００７】
本開示の一実施形態に係る第１のアクセサリは、コンタクトレンズと通信を行う通信部を備えている。通信部は、延在方向が互いに異なる複数のコイルアンテナと、各コイルアンテナと直列もしくは並列に接続されるキャパシタとを有している。
【０００８】
本開示の一実施形態に係る第１のアクセサリでは、各コイルアンテナが、互いに異なる方向に延在している。これにより、第１のアクセサリ内の少なくとも１つのコイルアンテナを、コンタクトレンズ内のコイルアンテナと通信可能な位置関係にすることが容易となるので、出力レベルを低く抑えることが可能となる。また、キャパシタが各コイルアンテナと直列もしくは並列に接続されるので、磁界結合を利用した無線通信が可能となる。
【０００９】
本開示の一実施形態に係る第２のアクセサリは、コンタクトレンズと通信を行う通信部を備えている。通信部は、アクセサリが身体に装着されたときにコンタクトレンズと通信可能な方向に延在するコイルアンテナと、コイルアンテナと直列もしくは並列に接続されたキャパシタとを有している。
【００１０】
本開示の一実施形態に係る第２のアクセサリでは、コイルアンテナが、第２のアクセサリが身体に装着されたときにコンタクトレンズと通信可能な方向に延在する。これにより、出力レベルを低く抑えることが可能となる。また、キャパシタがコイルアンテナと直列もしくは並列に接続されているので、磁界結合を利用した無線通信が可能となる。
【００１１】
本開示の一実施形態に係るコンタクトレンズ、第１のアクセサリおよび第２のアクセサリによれば、出力レベルを低く抑えつつ、磁界結合を利用した無線通信ができるようにしたので、消費電力や人体への影響を抑えつつ、データ送信をすることができる。なお、本開示の効果は、ここに記載された効果に必ずしも限定されず、本明細書中に記載されたいずれの効果であってもよい。
【図面の簡単な説明】
【００１２】
【図１】本開示の一実施形態に係る生体情報管理システムの概略構成の一例を表す図である。
【図２】図１のコンタクトレンズおよびアクセサリの構成の一例を表す図である。
【図３】図１のコンタクトレンズの通信部と、図１のアクセサリの通信部との一例を表す図である。
【図４】図１のアクセサリの一例を表す図である。
【図５】図１のアクセサリの一例を表す図である。
【図６】図１のアクセサリの一例を表す図である。
【図７】図１のアクセサリの一例を表す図である。
【図８】図１のアクセサリの一例を表す図である。
【図９】図１のアクセサリの一例を表す図である。
【図１０】図１のアクセサリの一例を表す図である。
【図１１】図１のアクセサリの一例を表す図である。
【図１２】図１のアクセサリの一例を表す図である。
【図１３】図１のアクセサリの一例を表す図である。
【図１４】図１のアクセサリの一例を表す図である。
【図１５】図１のアクセサリの一例を表す図である。
【図１６Ａ】図１のコンタクトレンズの断面構成の一例を表す図である。
【図１６Ｂ】図１６Ａのコンタクトレンズの一部の展開斜視構成の一例を表す図である。
【図１７】図１のコンタクトレンズの機能ブロックの一例を表す図である。
【図１８】図２、図４〜図１５のアクセサリの機能ブロックの一例を表す図である。
【図１９】図１の端末装置の機能ブロックの一例を表す図である。
【図２０】図１のデータサーバ装置の機能ブロックの一例を表す図である。
【図２１】図１のウェブサーバ装置の機能ブロックの一例を表す図である。
【図２２】図１の生体情報管理システムにおける検出データの送受信の手順の一例を表す図である。
【図２３】図１の生体情報管理システムにおけるリクエストデータおよび分析データの送受信の手順の一例を表す図である。
【図２４】（Ａ）図１のコンタクトレンズの平面構成の一例を表す図である。（Ｂ）図２４（Ａ）のコンタクトレンズの側面構成の一例を表す図である。
【図２５Ａ】図１のコンタクトレンズの平面構成の一変形例を表す図である。
【図２５Ｂ】図２５Ａのコンタクトレンズの一部の展開斜視構成の一例を表す図である。
【図２５Ｃ】図１のコンタクトレンズの平面構成の一変形例を表す図である。
【図２６】図５のアクセサリの一変形例を表す図である。
【図２７】図２のアクセサリの一変形例を表す図である。
【図２８】図４のアクセサリの一変形例を表す図である。
【図２９】図５のアクセサリの一変形例を表す図である。
【図３０】図６のアクセサリの一変形例を表す図である。
【図３１】図７のアクセサリの一変形例を表す図である。
【図３２】図８のアクセサリの一変形例を表す図である。
【図３３】図１のアクセサリの一変形例を表す図である。
【図３４】図１のアクセサリの一変形例を表す図である。
【図３５】図１のアクセサリの一変形例を表す図である。
【図３６】図１のアクセサリの一変形例を表す図である。
【図３７】図１のアクセサリの一変形例を表す図である。
【図３８】図２７〜図３７のアクセサリ内の通信部の回路構成の一例を表す図である。
【図３９】図２７〜図３７のアクセサリ内の通信部の回路構成の一例を表す図である。
【図４０】図１のコンタクトレンズの平面構成の一変形例を表す図である。
【図４１】図４０のコンタクトレンズ内の通信部の回路構成の一例を表す図である。
【図４２】図４０のコンタクトレンズ内の通信部の回路構成の一例を表す図である。
【図４３Ａ】図１のコンタクトレンズの平面構成の一変形例を表す図である。
【図４３Ｂ】図１のコンタクトレンズの平面構成の一変形例を表す図である。
【図４４】図２のコンタクトレンズの通信部に設ける回動機構の一例を表す図である。
【図４５】図２のアクセサリの通信部に設ける回動機構の一例を表す図である。
【図４６】アクセサリ内の通信部の回路構成の一変形例を表す図である。
【図４７】アクセサリ内の通信部の回路構成の一変形例を表す図である。
【図４８】アクセサリ内の通信部の回路構成の一変形例を表す図である。
【図４９】コンタクトレンズ内の通信部の回路構成の一変形例を表す図である。
【図５０】コンタクトレンズ内の通信部の回路構成の一変形例を表す図である。
【図５１】コンタクトレンズ内の通信部の回路構成の一変形例を表す図である。
【発明を実施するための形態】
【００１３】
以下、本開示を実施するための形態について、図面を参照して詳細に説明する。なお、説明は以下の順序で行う。
１．実施の形態（図１〜図２３）
レンズ表面に沿って延在するコイルアンテナを
レンズ部に設けた例
２．変形例
変形例Ａ（図２４）
レンズ表面に沿って略一周するとコイルアンテナを
レンズ部に設けた例
変形例Ｂ（図２５、図２６）
レンズ表面と直交する方向に延在するコイルアンテナを
レンズ部に設けた例
変形例Ｃ（図２７〜図３９）
複数のコイルアンテナをアクセサリに設けた例
・アクセサリのコイルアンテナと、コンタクトレンズのコイル
アンテナとの位置関係が一意に決まる例（図２７〜図３２）
・アクセサリのコイルアンテナと、コンタクトレンズのコイル
アンテナとの位置関係が一意に決まらない例（図３３〜図３９）
変形例Ｄ（図４０〜図４２）
複数のコイルアンテナをコンタクトレンズに設けた例
変形例Ｅ（図４３）
図４０のコイルと図２５Ａのコイルとを
コンタクトレンズに設けた例
変形例Ｆ（図４４、図４５）
回動機構を設けた例
変形例Ｇ（図４６〜図５１）
キャパシタとコイルを並列接続した例
【００１４】
＜１．実施の形態＞
[構成]
本開示の一実施の形態に係る生体情報管理システム１について説明する。図１は、生体情報管理システム１の概略構成例を表したものである。生体情報管理システム１は、ユーザの生体情報に基づいて、ユーザのリクエストに応じた分析を行い、その結果を、ユーザなどが所有する携帯端末（外部機器）に出力するシステムである。
【００１５】
生体情報管理システム１は、コンタクトレンズ２００、アクセサリ３００、端末装置４００、データサーバ装置５００およびウェブサーバ装置６００を備えている。アクセサリ３００、端末装置４００、データサーバ装置５００およびウェブサーバ装置６００は、ネットワーク１００を介して相互に接続される。ネットワーク１００は、例えば、インターネットで標準的に利用されている通信プロトコル（ＴＣＰ／ＩＰ）を用いて通信を行う通信ネットワークである。ネットワーク１００は、例えば、そのネットワーク独自の通信プロトコルを用いて通信を行うセキュアな通信ネットワークであってもよい。ネットワーク１００は、例えば、インターネット、イントラネット、または、ローカルエリアネットワークである。ネットワーク１００は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００１６】
一方、コンタクトレンズ２００は、アクセサリ３００との間で、近距離の無線通信（具体的には、磁界結合を利用した無線通信）を行う。コンタクトレンズ２００とアクセサリ３００との間の通信は、例えば、ＩＳＯ／ＩＥＣ１４４４３（近接型ＲＦＩＤの国際標準規格）や、ＩＳＯ／ＩＥＣ１８０９２（ＮＦＣと呼ばれる無線通信の国際規格）、または、ＩＳＯ／ＩＥＣ１５６９３（ＲＦＩＤの国際標準規格）等によって行われる。
【００１７】
（コンタクトレンズ２００，アクセサリ３００）
図２は、コンタクトレンズ２００およびアクセサリ３００の構成の一例を表したものである。コンタクトレンズ２００およびアクセサリ３００は、それぞれ、近距離の無線通信を行う通信部を有している。具体的には、コンタクトレンズ２００は、近距離の無線通信（具体的には、磁界結合を利用した無線通信）を行う通信部２２０を有しており、アクセサリ３００は、近距離の無線通信（具体的には、磁界結合を利用した無線通信）を行う通信部３２０を有している。通信部２２０は、本開示の「出力部」の一具体例に相当する。
【００１８】
通信部２２０は、例えば、図２、図３に示したように、コイル部２２１、キャパシタ２２２および交流電源２２３を有している。コイル部２２１は、レンズ部１０の表面に沿って延在するコイルアンテナである。コイル部２２１に用いられるコイルアンテナは、例えば、ソレノイド型、または、スパイラル型であり、例えば、金や銅などの金属、導電性高分子（例えばポリアセチレン）、または、カーボンなどによって構成されている。コイル部２２１は、例えば、レンズ部１０の端縁に沿って配置されている。キャパシタ２２２は、コイル部２２１に直列に接続されている。交流電源２２３は、コイル部２２１およびキャパシタ２２２と直列に接続されている。
【００１９】
通信部３２０は、例えば、図２、図３に示したように、コイル部３２１、キャパシタ３２２および負荷３２３を有している。コイル部３２１は、アクセサリ３００が身体に装着されたときにコンタクトレンズ２００の通信部２２０と通信可能な方向に延在するコイルアンテナである。コイル部３２１に用いられるコイルアンテナは、例えば、ソレノイド型、または、スパイラル型であり、例えば、金や銅などの金属、導電性高分子（例えばポリアセチレン）、または、カーボンなどによって構成されている。コイル部３２１は、例えば、アクセサリ３００が身体に装着された状態で、コンタクトレンズ２００の正面方向からアクセサリ３００を見たときに、コイル部２２１の中心軸と平行もしくは略平行な中心軸を有している。これにより、共通の磁束Φがコイル部２２１およびコイル部３２１を通過する。キャパシタ３２２は、コイル部２２１に直列に接続されている。負荷３２３は、例えば、所定の値の抵抗である。
【００２０】
アクセサリ３００は、当該アクセサリ３００が身体に装着されたときにコイル部３２１とコンタクトレンズ２００のコイル部２２１との位置関係が一意に決まる形態となっている。アクセサリ３００は、例えば、イヤホン、ネックレス、眼鏡、ネクタイピン、バッジ、ヘッドセット、帽子、ヘルメット、シュノーケル用のマスク、スキー用のゴーグル、着け毛、または、カツラである。
【００２１】
アクセサリ３００がイヤホン３００ａである場合、コイル部３２１は、例えば、図２に示したように、イヤホン３００ａの本体部３１０ａに内蔵されている。アクセサリ３００がネックレス３００ｂである場合、コイル部３２１は、例えば、図４に示したように、ネックレス３００ｂの首掛部３１０ｂに設けられている。ネックレス３００ｂには、胸元に吊り下げる貴金属や宝石などが設けられており、それら貴金属や宝石の位置は必ず胸元に配置されるので、首掛部３１０ｂの設けたコイル部３２１の、コイル部２２１に対する位置や向きも必然的に一意に決まる。
【００２２】
アクセサリ３００が眼鏡３００ｃである場合、コイル部３２１は、例えば、図５に示したように、眼鏡３００ｃのフレーム部３１０ｃに設けられている。眼鏡３００ｃには、レンズを嵌めるフレーム部３１０ｃや、耳に掛ける耳掛け部が設けられているので、眼鏡３００ｃの、コイル部２２１に対する位置や向きは必然的に一意に決まる。それに伴い、眼鏡３００ｃに設けたコイル部３２１の、コイル部２２１に対する位置や向きも必然的に一意に決まる。
【００２３】
アクセサリ３００がネクタイピン３００ｄである場合、コイル部３２１は、例えば、図６に示したように、ネクタイピン３００ｄの本体部３１０ｄに設けられている。ネクタイピン３００ｄには、ネクタイをワイシャツに留める留め具が本体部３１０ｄの背後に設けられているので、ネクタイピン３００ｄの、コイル部２２１に対する位置や向きは必然的に一意に決まる。それに伴い、ネクタイピン３００ｄに設けたコイル部３２１の、コイル部２２１に対する位置や向きも必然的に一意に決まる。
【００２４】
アクセサリ３００がバッジ３００ｅである場合、コイル部３２１は、例えば、図７に示したように、バッジ３００ｅの本体部３１０ｅに設けられている。バッジ３００ｅには、バッジ３００ｅを衣服に留める留め具が本体部３１０ｅの背後に設けられているので、バッジ３００ｅの位置や向きは必然的に一意に決まる。それに伴い、バッジ３００ｅに設けたコイル部３２１の、コイル部２２１に対する位置や向きも必然的に一意に決まる。
【００２５】
アクセサリ３００がヘッドセット３００ｆである場合、コイル部３２１は、例えば、図８に示したように、ヘッドセット３００ｆの本体部３１０ｆに設けられている。ヘッドセット３００ｆには、本体部３１０ｆを目の前に留める留め具（バンド）が本体部３１０ｆの背後に設けられているので、ヘッドセット３００ｆの、コイル部２２１に対する位置や向きは必然的に一意に決まる。それに伴い、ヘッドセット３００ｆに設けたコイル部３２１の、コイル部２２１に対する位置や向きも必然的に一意に決まる。
【００２６】
アクセサリ３００が帽子（cap）３００ｇである場合、コイル部３２１は、例えば、図９に示したように、帽子３００ｇのバイザー３１０ｇ１やクラウン３１０ｇ２などに設けられている。バイザー３１０ｇ１は、帽子３００ｇの前部分に設けられているので、帽子３００ｇの、コイル部２２１に対する位置や向きは必然的に一意に決まる。それに伴い、帽子３００ｇに設けたコイル部３２１の、コイル部２２１に対する位置や向きも必然的に一意に決まる。
【００２７】
アクセサリ３００が帽子（hat）３００ｈである場合、コイル部３２１は、例えば、図１０に示したように、帽子３００ｈのブリム３１０ｈ１やクラウン３１０ｈ２などに設けられている。帽子３００ｈには、リボン３１０ｈ３が設けられているので、帽子３００ｇの、コイル部２２１に対する位置や向きは必然的に一意に決まる。それに伴い、帽子３００ｈに設けたコイル部３２１の、コイル部２２１に対する位置や向きも必然的に一意に決まる。
【００２８】
アクセサリ３００がヘルメット３００ｉである場合、コイル部３２１は、例えば、図１１に示したように、ヘルメット３００ｉの開口３１０ｉの端縁などに設けられている。開口３１０ｉは、ヘルメット３００ｉの前部分に設けられているので、ヘルメット３００ｉの、コイル部２２１に対する位置や向きは必然的に一意に決まる。それに伴い、ヘルメット３００ｉに設けたコイル部３２１の、コイル部２２１に対する位置や向きも必然的に一意に決まる。
【００２９】
アクセサリ３００がシュノーケル用のマスク３００ｋである場合、コイル部３２１は、例えば、図１２に示したように、マスク３００ｋのレンズ部３１０ｋなどに設けられている。マスク３００ｋには、レンズ部３１０ｋを目の前に留める留め具（バンド）が設けられているので、マスク３００ｋの、コイル部２２１に対する位置や向きは必然的に一意に決まる。それに伴い、マスク３００ｋに設けたコイル部３２１の、コイル部２２１に対する位置や向きも必然的に一意に決まる。
【００３０】
アクセサリ３００がスキー用のゴーグル３００ｍである場合、コイル部３２１は、例えば、図１３に示したように、ゴーグル３００ｍのレンズ部３１０ｍなどに設けられている。ゴーグル３００ｍには、レンズ部３１０ｍを目の前に留める留め具（バンド）が設けられているので、ゴーグル３００ｍの、コイル部２２１に対する位置や向きは必然的に一意に決まる。それに伴い、ゴーグル３００ｍに設けたコイル部３２１の、コイル部２２１に対する位置や向きも必然的に一意に決まる。
【００３１】
アクセサリ３００が着け毛３００ｎである場合、コイル部３２１は、例えば、図１４に示したように、着け毛３００ｎの長手方向に沿って設けられている。そのため、着け毛３００ｎの、コイル部２２１に対する位置や向きは必然的に一意に決まる。それに伴い、着け毛３００ｎに設けたコイル部３２１の、コイル部２２１に対する位置や向きも必然的に一意に決まる。
【００３２】
アクセサリ３００がカツラ３００ｐである場合、コイル部３２１は、例えば、図１５に示したように、カツラ３００ｐの髪の毛の長手方向に沿って設けられている。そのため、カツラ３００ｐの、コイル部２２１に対する位置や向きは必然的に一意に決まる。それに伴い、カツラ３００ｐに設けたコイル部３２１の、コイル部２２１に対する位置や向きも必然的に一意に決まる。
【００３３】
図１６Ａは、コンタクトレンズ２００の断面構成の一例を表したものである。図１６Ｂは、図１６Ａのコンタクトレンズ２００の一部の展開斜視構成の一例を表したものである。コンタクトレンズ２００は、レンズ部２１０内に、コイル部２２１やキャパシタ２２２を有している。レンズ部２１０は、例えば、眼球側の表面に基材層２１１を有しており、さらに、眼球とは反対側の表面にカバー層２１２を有している。レンズ部２１０は、さらに、基材層２１１とカバー層２１２との間に、コイル部２２１やキャパシタ２２２などが設けられた積層体を有している。この積層体は、例えば、眼球側から、機能層２１３、中間層２１４および機能層２１５が積層された構造となっている。
【００３４】
基材層２１１は、例えば、光透過性の樹脂によって構成されており、光学素子２０を支持する支持基材としての役割を有している。カバー層２１２は、例えば、光透過性の樹脂によって構成されており、通信部２２０などを保護する役割を有している。機能層２１３は、コイル部２２１の一部を構成する複数の配線層２１３Ａや、キャパシタ２２２の一部を構成するパッド層２１３Ｂを有している。各配線層２１３Ａは、例えば、図１６Ｂに示したように、共通の方向に延在する棒状の形状となっている。パッド層２１３Ｂは、配線層２１３Ａと同一の層内に設けられている。機能層２１３において、配線層２１３Ａやパッド層２１３Ｂ以外の箇所は、例えば、絶縁層によって構成されている。機能層２１５は、コイル部２２１の一部を構成する複数の配線層２１５Ａや、キャパシタ２２２の一部を構成するパッド層２１５Ｂを有している。各配線層２１５Ａは、例えば、図１６Ｂに示したように、各配線層２１３Ａとは異なる方向であって、かつ共通の方向に延在する棒状の形状となっている。各配線層２１５Ａは、コイル部２２１が面内方向に回転中心軸を有するらせん状となるように配置されている。パッド層２１５Ｂは、配線層２１５Ａと同一の層内に設けられている。機能層２１５において、配線層２１５Ａやパッド層２１５Ｂ以外の箇所は、例えば、絶縁層によって構成されている。中間層２１４は、コイル部２２１の一部を構成する接続部２１４Ａを有している。接続部２１４Ａは、配線層２１３Ａと配線層２１５Ａとを互いに電気的に接続している。中間層２１４において、接続部２１４Ａ以外の箇所は、例えば、絶縁層によって構成されている。つまり、接続部２１４Ａは、中間層２１４内の絶縁層と同一の層内に設けられている。配線層２１３Ａおよび配線層２１５Ａは、例えば、中間層２１４内の絶縁層を間にして配置されている。中間層２１４内の絶縁層のうち、配線層２１３Ａと配線層２１５Ａとによって挟まれた部分は、例えば、フェライトなどの磁性体によって構成されていてもよい。
【００３５】
（コンタクトレンズ２００）
図１７は、コンタクトレンズ２００の機能ブロックの一例を表したものである。コンタクトレンズ２００は、例えば、記憶部２３０、センサ部２４０、通信部２２０および制御部２５０を有している。センサ部２４０が本開示の「取得部」の一具体例に相当する。通信部２２０および制御部２５０が本開示の「出力部」の一具体例に相当する。
【００３６】
記憶部２３０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。記憶部２３０は、制御部２５０によって実行されるプログラム（例えば、処理プログラム２３２）などを記憶している。処理プログラム２３２は、センサ部２４０から、生体情報である検出データ２３１を取得したり、取得した検出データ２３１を、通信部２２０を介してアクセサリ３００に出力したりするためのプログラムである。検出データ２３１は、コンタクトレンズ２００を用いて得られたデータであり、具体的には、センサ部２４０によって検出された生体情報である。制御部２５０は、プロセッサを含んで構成されており、例えば、記憶部２３０に記憶された処理プログラム２３２を実行する。制御部２５０の機能は、例えば、制御部２５０によって処理プログラム２３２が実行されることによって実現される。制御部２５０および通信部２２は、センサ部２４０で取得された生体情報（検出データ２３１）を、人体に装着されるアクセサリ３００に出力する。
【００３７】
センサ部２４０は、レンズ部２１０に設けられている。センサ部２４０は、コンタクトレンズ２００が装着されているユーザの生体情報を取得する。センサ部２４０は、例えば、涙に含まれる特定の成分（例えば、塩分、酸素、脂質、血糖値、またはホルモン物質）を検出するデバイスである。この場合、センサ部２４０によって検出されることにより得られるデータ（検出データ２３１）は、涙の成分についての情報である。なお、センサ部２４０は、例えば、視線を検出するするデバイス、眼球内の血管の状態を検出するデバイス、眼球内の血管の脈拍を検出するデバイス、または、眼圧を検出するデバイスであってもよい。センサ部２４０が視線を検出するするデバイスである場合には、検出データ２３１は、視線についての生体情報である。センサ部２４０が眼球内の血管の状態を検出するデバイスである場合には、検出データ２３１は、眼球内の血管についての情報である。センサ部２４０が眼圧を検出するデバイスである場合には、検出データ２３１は、眼圧についての生体情報である。センサ部２４０が瞼の開閉を検出するするデバイスである場合には、検出データ２３１は、瞼の開閉についての生体情報である。
【００３８】
（アクセサリ３００）
図１８は、アクセサリ３００の機能ブロックの一例を表したものである。アクセサリ３００は、例えば、記憶部３４０、通信部３２０，３３０、機能部３５０および制御部３６０を有している。
【００３９】
通信部３２０は、コンタクトレンズ２００と近距離の無線通信を行う。具体的には、通信部３２０は、コンタクトレンズ２００の記憶部２３０から、生体情報である検出データ２３１を取得する。通信部３３０は、ネットワーク１００を介してウェブサーバ装置６００と通信を行う。具体的には、通信部３３０は、通信部３２０で取得した検出データ２３１を、ネットワーク１００を介してウェブサーバ装置６００に出力する。
【００４０】
記憶部３４０は、例えば、不揮発性メモリによって構成されており、例えば、ＥＥＰＲＯＭ、フラッシュメモリ、抵抗変化型メモリなどによって構成されている。記憶部３４０は、制御部３６０によって実行されるプログラム（例えば、処理プログラム３４１）などを記憶している。処理プログラム３４１は、コンタクトレンズ２００から通信部３２０を介して検出データ２３１を取得したり、取得した検出データ２３１を、通信部３３０およびネットワーク１００を介してウェブサーバ装置６００に出力したりするためのプログラムである。制御部３６０は、プロセッサを含んで構成されており、例えば、記憶部３４０に記憶された処理プログラム３４１を実行する。制御部３６０の機能は、例えば、制御部３６０によって処理プログラム３４１が実行されることによって実現される。
【００４１】
（端末装置４００）
図１９は、端末装置４００の機能ブロックの一例を表したものである。端末装置４００は、ユーザが生体情報の分析に必要なリクエストを入力したり、ユーザのリクエストに応じた分析結果を表示したりするために使用される端末装置である。端末装置４００は、ユーザからのリクエストを受け付けたり、ユーザのリクエストに応じた分析結果を表示したりするためのインターフェースを有している。端末装置４００は、例えば、記憶部４１０、通信部４２０、受付部４３０、表示部４４０および制御部４５０を有している。
【００４２】
受付部４３０は、キーボードやタッチパネルなどで構成されている。表示部４４０は、制御部４５０から入力された映像信号に基づく表示を行う。表示部４４０がタッチパネルの機能を有している場合には、タッチパネルの機能が受付部４３０の機能を担ってもよい。記憶部４１０は、制御部４５０によって実行されるプログラム（例えば、ウェブブラウザプログラム４１３や、オペレーティングシステム）などを記憶している。記憶部４１０には、リクエストデータ４１１や、分析データ４１２が記憶される。
【００４３】
リクエストデータ４１１は、ユーザから受け付けたリクエストについてのデータである。ユーザからのリクエストには、例えば、ユーザの、生体情報に基づいたパフォーマンスもしくはコンディションの管理のリクエストが含まれる。分析データ４１２は、リクエストデータ４１１応じた分析結果についてのデータである。分析データ４１２は、ユーザのパフォーマンスもしくはコンディションについてのデータである。
【００４４】
制御部４５０は、プロセッサを含んで構成されており、記憶部４１０に記憶されたウェブブラウザプログラム４１３や、オペレーティングシステムなどを実行する。端末装置４００におけるユーザインターフェース（表示部４４０）は、例えば、ウェブサーバ装置６００から取得したアプリケーション（例えばｈｔｍｌデータ）をウェブブラウザプログラム４１３で処理することにより実現される。
【００４５】
（データサーバ装置５００）
図２０は、データサーバ装置５００の機能ブロックの一例を表したものである。データサーバ装置５００は、例えば、コンタクトレンズ２００を用いて得られた検出データ２３１や、ウェブサーバ装置６００でのデータ処理により得られた分析データ６１１を記憶するための装置である。
【００４６】
データサーバ装置５００は、例えば、記憶部５１０、通信部５２０および制御部５３０を有している。制御部５３０は、通信部５２０を介して外部から入力された情報を記憶部５１０に格納したり、記憶部５１０から読み出した情報を、通信部５２０を介して外部に出力したりする。通信部５２０は、ネットワーク１００を介して、他の機器と通信を行う。記憶部５１０は、例えば、不揮発性メモリによって構成されており、例えば、ＥＥＰＲＯＭ、フラッシュメモリ、抵抗変化型メモリなどによって構成されている。記憶部５１０には、例えば、検出データ２３１や、分析データ６１１が記憶される。
【００４７】
（ウェブサーバ装置６００）
図２１は、ウェブサーバ装置６００の機能ブロックの一例を表したものである。ウェブサーバ装置６００は、端末装置４００におけるユーザインターフェースを提供する。ウェブサーバ装置６００は、さらに、コンタクトレンズ２００を用いて得られた分析データ６１１に基づいて、ユーザから受け付けたリクエストデータ４１１に応じた分析結果（分析データ６１１）を生成する。ウェブサーバ装置６００は、例えば、記憶部６１０、通信部６２０および制御部６３０を有している。
【００４８】
通信部６２０は、ネットワーク１００を介して、生体情報管理システム１内の他の装置（例えばデータサーバ装置５００や、端末装置４００等）と通信を行う。記憶部６１０は、例えば、不揮発性メモリによって構成されており、例えば、ＥＥＰＲＯＭ、フラッシュメモリ、抵抗変化型メモリなどによって構成されている。記憶部６１０は、制御部６３０によって実行されるプログラム（例えば、ウェブサーバプログラム６１２や、ウェブアプリケーションプログラム６１３）などを記憶している。ウェブアプリケーションプログラム６１３は、ネットワーク１００を介して使用するアプリケーションプログラムである。ウェブアプリケーションプログラム６１３は、コンタクトレンズ２００を用いて得られた分析データ６１１に基づいて、ユーザから受け付けたリクエストデータ４１１に応じた分析結果（分析データ６１１）を生成するプログラムである。ウェブアプリケーションプログラム６１３は、ウェブサーバプログラム６１２とウェブブラウザプログラム４１３とが協調することによって動作する。
【００４９】
制御部６３０は、プロセッサを含んで構成されており、例えば、記憶部６１０に記憶されたウェブサーバプログラム６１２や、ウェブアプリケーションプログラム６１３などを実行する。制御部６３０の機能は、例えば、制御部６３０によって、ウェブサーバプログラム６１２やウェブアプリケーションプログラム６１３が実行されることによって実現される。具体的には、制御部６３０は、コンタクトレンズ２００を用いて得られた分析データ６１１に基づいて、ユーザから受け付けたリクエストデータ４１１に応じた分析結果（分析データ６１１）を生成する。
【００５０】
制御部６３０は、検出データ２３１が所定の条件を満たすとき、それを知らせるための制御信号６３０Ａを生成し、生成した制御信号６３０Ａを、通信部５２０を介して端末装置４００に出力してもよい。「所定の条件」とは、例えば、ユーザのパフォーマンスもしくはコンディションにおいて注意喚起を必要とする条件を指している。制御信号６３０Ａは、例えば、注意喚起を行う文字データである。
【００５１】
[動作]
（検出データの保存）
次に、生体情報管理システム１における検出データ２３１の保存手順について説明する。
【００５２】
図２２は、生体情報管理システム１における検出データ２３１の送受信の手順の一例を表したものである。ユーザは、まず、コンタクトレンズ２００を自身の眼球に装着する。その後、コンタクトレンズ２００において、センサ部２４０がユーザの生体情報（検出データ２３１）を取得する（ステップＳ１０１）。センサ部２４０が、涙に含まれる特定の成分（例えば、塩分、酸素、脂質、または血糖値）を検出するデバイスである場合には、検出データ２３１は、涙についての生体情報である。センサ部２４０が視線を検出するするデバイスである場合には、検出データ２３１は、視線についての生体情報である。センサ部２４０が眼球内の血管の状態を検出するデバイスである場合には、検出データ２３１は、眼球についての生体情報である。センサ部２４０が眼圧を検出するデバイスである場合には、検出データ２３１は、眼球についての生体情報である。
【００５３】
センサ部２４０は取得した生体情報（検出データ２３１）を、通信部２２０を介してアクセサリ３００に送信する（ステップＳ１０２）。アクセサリ３００は、センサ部２４０から検出データ２３１を受信すると（ステップＳ１０３）、受信した検出データ２３１をデータサーバ装置５００に送信する（ステップＳ１０４）。データサーバ装置５００は、アクセサリ３００から検出データ２３１を受信すると（ステップＳ１０５）、受信した検出データ２３１を記憶部５１０に保存する（ステップＳ１０６）。
【００５４】
（検出データの分析）
次に、生体情報管理システム１における検出データ２３１の分析手順について説明する。
【００５５】
図２３は、生体情報管理システム１における検出データ２３１の分析手順の一例を表したものである。ユーザは、まず、端末装置４００に対して、リクエストを入力するためのユーザインターフェースの表示を要求する。すると、端末装置４００は、ウェブサーバ装置６００から取得したアプリケーションをウェブブラウザプログラム４１３で処理することにより、表示部４４０に、リクエストを入力するためのユーザインターフェースを表示する。ユーザは、表示されたユーザインターフェースおよび受付部４３０を用いて、リクエストデータ４１１を入力する。端末装置４００は、ユーザから入力されたリクエストデータ４１１を受け付けると（ステップＳ２０１）、受け付けたリクエストデータ４１１をウェブサーバ装置６００に送信する（ステップＳ２０２）。
【００５６】
ウェブサーバ装置６００は、端末装置４００からリクエストデータ４１１を受信すると（ステップＳ２０３）、受信したリクエストデータ４１１の内容に対応する検出データ２３１をデータサーバ装置５００から読み出す（ステップＳ２０４）。ウェブサーバ装置６００は、読み出した検出データ２３１に基づいて、リクエストデータ４１１に応じた分析結果（分析データ６１１）を生成する（ステップＳ２０５）。ウェブサーバ装置６００は、生成した分析データ６１１を端末装置４００に送信する（ステップＳ２０６）。端末装置４００は、ウェブサーバ装置６００から分析データ６１１を受信すると（ステップＳ２０７）、受信した分析データ６１１を表示部４４０に表示する（ステップＳ２０８）。
【００５７】
[効果]
次に、本実施の形態に係る生体情報管理システム１の効果について説明する。
【００５８】
本実施の形態では、レンズ部１０に設けられたセンサ部２４０で取得された生体情報（検出データ２３１）が、人体に装着されたアクセサリ３００に出力される。これにより、出力レベルを低く抑えることが可能となる。また、キャパシタ２２２がコイル部２２１に直列に接続されているので、磁界結合を利用した無線通信が可能となる。その結果、消費電力や人体への影響を抑えつつ、データ送信をすることができる。
【００５９】
また、本実施の形態において、コイル部２２１がレンズ部２１０の端縁に沿って配置されている場合には、コイル部２２１によってユーザの視界が遮られるおそれがない。従って、ユーザがコンタクトレンズ２００を装着した状態で、コンタクトレンズ２００とアクセサリ３００との間でデータ送信を行うことができる。
【００６０】
また、本実施の形態において、コイル部２２１が、レンズ部２１０内に設けられた２つの配線層２１３Ａ，２１５Ａおよび接続部２１４Ａを含んで構成されている場合には、ＩＣ（Integrated Circuit）プロセスを用いてコイル部２２１を製造することができる。従って、コイル部２２１を薄く、小さく作ることができるので、コンタクトレンズ２００の装着感を損なうことなく、データ送信をすることができる。
【００６１】
また、本実施の形態において、キャパシタ２２２が、レンズ部２１０内に設けられた２つのパッド層２１３Ｂ，２１５Ｂを含んで構成されている場合には、ＩＣプロセスを用いてキャパシタ２２２を製造することができる。従って、キャパシタ２２２を薄く、小さく作ることができるので、コンタクトレンズ２００の装着感を損なうことなく、データ送信をすることができる。
【００６２】
また、本実施の形態では、アクセサリ３００のコイル部３２１は、アクセサリ３００が身体に装着されたときにコンタクトレンズ２００のコイル部２２１と通信可能な方向に延在している。これにより、出力レベルを低く抑えることが可能となる。また、キャパシタ３２２がコイル部３２１と直列に接続されているので、磁界結合を利用した無線通信が可能となる。その結果、消費電力や人体への影響を抑えつつ、データ送信をすることができる。
【００６３】
また、本実施の形態において、アクセサリ３００は、当該アクセサリ３００が身体に装着されたときにコイル部３２１とコンタクトレンズ２００のコイル部２２１との位置関係が一意に決まる形態となっている。これにより、アクセサリ３００のコイル部３２１と、コンタクトレンズ２００のコイル部２２１との通信が容易となるので、出力レベルを低く抑えることが可能となる。その結果、消費電力や人体への影響を抑えつつ、データ送信をすることができる。
【００６４】
＜２．変形例＞
次に、上記実施の形態に係るコンタクトレンズ２００およびアクセサリ３００の変形例について説明する。
【００６５】
[変形例Ａ]
図２４（Ａ）は、変形例Ａに係るコンタクトレンズ２００の平面構成の一例を表したものである。図２４（Ｂ）は、変形例Ａに係るコンタクトレンズ２００の側面構成の一例を表したものである。本変形例では、コイル部２２１が、レンズ部２１０の端縁に沿って延在する略環状となっている。コイル部２２１において、一端の開口と、他端の開口とが正反対の方向を向いている。また、コイル部２２１において、一端の開口と、他端の開口とが互いに異なる層内に設けられている。コイル部２２１がこのような構成となっている場合であっても、出力レベルを低く抑えることが可能であり、また、磁界結合を利用した無線通信が可能である。その結果、消費電力や人体への影響を抑えつつ、データ送信をすることができる。
【００６６】
[変形例Ｂ]
図２５Ａは、変形例Ｂに係るコンタクトレンズ２００の平面構成の一例を表したものである。図２５Ｂは、図２５Ａのコンタクトレンズ２００の一部の展開斜視構成の一例を表したものである。本変形例では、コイル部２２１が、レンズ部２１０の表面と直交する方向に延在している。このとき、コイル部２２１は、例えば、レンズ部２１０の端縁に沿って延在する略環状となっている。コイル部２２１は、例えば、レンズ部２１０の表面と交差する方向に回転中心軸を有するらせん状の配線によって構成されている。レンズ部２１０は、例えば、眼球側の表面に基材層２１１を有しており、さらに、眼球とは反対側の表面にカバー層２１２を有している。レンズ部２１０は、さらに、基材層２１１とカバー層２１２との間に、コイル部２２１やキャパシタ２２２などが設けられた積層体を有している。この積層体は、例えば、眼球側から、機能層２１３、中間層２１４、機能層２１５、中間層２１６および機能層２１７が積層された構造となっている。
【００６７】
機能層２１３は、コイル部２２１の一部を構成する配線層２１３Ｃや、キャパシタ２２２の一部を構成するパッド層２１３Ｂを有している。配線層２１３Ｃは、例えば、図２５Ｂに示したように、Ｃ形状となっている。パッド層２１３Ｂは、配線層２１３Ｃと同一の層内に設けられている。機能層２１３において、配線層２１３Ｃやパッド層２１３Ｂ以外の箇所は、例えば、絶縁層によって構成されている。機能層２１５は、コイル部２２１の一部を構成する配線層２１５Ｃを有している。配線層２１５Ｃは、例えば、図２５Ｂに示したように、Ｃ形状となっている。配線層２１５Ｃは、コイル部２２１が積層方向に回転中心軸を有するらせん状となるように配置されている。パッド層２１５Ｂは、配線層２１５Ｃと同一の層内に設けられている。機能層２１５において、配線層２１５Ｃやパッド層２１５Ｂ以外の箇所は、例えば、絶縁層によって構成されている。機能層２１７は、コイル部２２１の一部を構成する配線層２１７Ｃを有している。配線層２１７Ｃは、例えば、図２５Ｂに示したように、Ｃ形状となっている。配線層２１７Ｃは、コイル部２２１が積層方向に回転中心軸を有するらせん状となるように配置されている。パッド層２１７Ｂは、配線層２１５Ｃと同一の層内に設けられている。機能層２１７において、配線層２１７Ｃやパッド層２１７Ｂ以外の箇所は、例えば、絶縁層によって構成されている。
【００６８】
中間層２１４は、コイル部２２１の一部を構成する接続部２１４Ａを有している。接続部２１４Ａは、配線層２１３Ｃと配線層２１５Ｃとを互いに電気的に接続している。中間層２１４において、接続部２１４Ａ以外の箇所は、例えば、絶縁層によって構成されている。つまり、接続部２１４Ａは、中間層２１４内の絶縁層と同一の層内に設けられている。配線層２１３Ｃおよび配線層２１５Ｃは、例えば、中間層２１４内の絶縁層を間にして配置されている。中間層２１４内の絶縁層のうち、配線層２１３Ｃと配線層２１５Ｃとによって挟まれた部分は、例えば、フェライトなどの磁性体によって構成されていてもよい。中間層２１６は、コイル部２２１の一部を構成する接続部２１６Ａを有している。接続部２１６Ａは、配線層２１５Ｃと配線層２１７Ｃとを互いに電気的に接続している。中間層２１６において、接続部２１６Ａ以外の箇所は、例えば、絶縁層によって構成されている。つまり、接続部２１６Ａは、中間層２１４内の絶縁層と同一の層内に設けられている。配線層２１５Ｃおよび配線層２１７Ｃは、例えば、中間層２１６内の絶縁層を間にして配置されている。中間層２１６内の絶縁層のうち、配線層２１５Ｃと配線層２１７Ｃとによって挟まれた部分は、例えば、フェライトなどの磁性体によって構成されていてもよい。
【００６９】
なお、本変形例において、コイル部２２１が、例えば、図２５Ｃに示したように、レンズ部２１０の表面と交差する方向に延在する方向に回転中心軸を有する渦巻き状の配線によって構成されていてもよい。この場合、コイル部２２１が、レンズ部２１０の表面と交差する方向に回転中心軸を有するらせん状の配線となっていてもよいし、レンズ部２１０の表面と平行な面内において渦巻き状に巻かれた配線となっていてもよい。
【００７０】
ここで、アクセサリ３００のコイル部３２１は、例えば、アクセサリ３００が身体に装着された状態で、コンタクトレンズ２００の正面方向からアクセサリ３００を見たときに、コイル部２２１の中心軸と平行もしくは略平行な中心軸を有している。これにより、共通の磁束Φがコイル部２２１およびコイル部３２１を通過する。
【００７１】
アクセサリ３００が、例えば、図２６に示したような眼鏡３００ｃである場合、コイル部３２１は、例えば、コイル部３２１の中心軸がコイル部２２１の中心軸と共通となるように形成されている。アクセサリ３００が、例えば、図２６に示したような眼鏡３００ｃである場合、コイル部３２１は、例えば、フレーム部３１０ｃに沿って形成されている。コイル部２２１，３２１がこのような構成となっている場合であっても、出力レベルを低く抑えることが可能であり、また、磁界結合を利用した無線通信が可能である。その結果、消費電力や人体への影響を抑えつつ、データ送信をすることができる。
【００７２】
[変形例Ｃ]
図２７〜図３２は、アクセサリ３００の一変形例を表したものである。図２７〜図３２に記載のアクセサリ３００は、延在方向が互いに異なる複数のコイル部３２１を有している。
【００７３】
図２７〜図３２に記載のアクセサリ３００は、当該アクセサリ３００が身体に装着されたときに各コイル部３２１とコンタクトレンズ２００のコイル部２２１との位置関係が一意に決まる形態となっている。
【００７４】
図２７には、図２に記載のイヤホン３００ａにおいて、延在方向が互いに異なる複数のコイル部３２１が設けられている様子が例示されている。図２８には、図４に記載のネックレス３００ｂにおいて、延在方向が互いに異なる複数のコイル部３２１が設けられている様子が例示されている。図２９には、図５に記載の眼鏡３００ｃにおいて、延在方向が互いに異なる複数のコイル部３２１が設けられている様子が例示されている。図３０には、図６に記載のネクタイピン３００ｄにおいて、延在方向が互いに異なる複数のコイル部３２１が設けられている様子が例示されている。図３１には、図７に記載のバッジ３００ｅにおいて、延在方向が互いに異なる複数のコイル部３２１が設けられている様子が例示されている。図３２には、図８に記載のヘッドセット３００ｆにおいて、延在方向が互いに異なる複数のコイル部３２１が設けられている様子が例示されている。
【００７５】
図２７〜図３２に記載のアクセサリ３００では、当該アクセサリ３００が身体に装着されたときに各コイル部３２１とコンタクトレンズ２００のコイル部２２１との位置関係が一意に決まる。これにより、アクセサリ３００における少なくとも１つのコイル部３２１と、コンタクトレンズ２００のコイル部２２１との通信が容易となるので、出力レベルを低く抑えることが可能となる。その結果、消費電力や人体への影響を抑えつつ、データ送信をすることができる。なお、図９〜図１５に記載のアクセサリ３００に対して、延在方向が互いに異なる複数のコイル部３２１が設けられている場合には、当該アクセサリ３００は、図２７〜図３２に記載のアクセサリ３００と同様、当該アクセサリ３００が身体に装着されたときに各コイル部３２１とコンタクトレンズ２００のコイル部２２１との位置関係が一意に決まる形態となっている。従って、図９〜図１５に記載のアクセサリ３００に対して、延在方向が互いに異なる複数のコイル部３２１が設けられている場合にも、アクセサリ３００における少なくとも１つのコイル部３２１と、コンタクトレンズ２００のコイル部２２１との通信が容易となるので、出力レベルを低く抑えることが可能となる。その結果、消費電力や人体への影響を抑えつつ、データ送信をすることができる。
【００７６】
図３３〜図３７に記載のアクセサリ３００は、当該アクセサリ３００が身体に装着されたときに各コイル部３２１とコンタクトレンズ２００のコイル部２２１との位置関係が一意に決まらない形態となっているか、または、腕、指もしくは脚に装着されるものである。図３３〜図３７に記載のアクセサリ３００は、例えば、ネックレス３００ｑ、ブレスレット３００ｒ、イヤリング３００ｓ、指輪３００ｔ、または、腕時計３００ｕである。
【００７７】
図３３には、アクセサリ３００として、胸元の位置が特に特定されないネックレス３００ｑが例示されている。ネックレス３００ｑでは、全体が首掛部となっており、例えば、首掛部に貴金属や宝石などが一列に配置されている。ネックレス３００ｑにおいて、複数のコイル部３２１は、例えば、首掛部に沿って等間隔に並んで配置されている。ネックレス３００ｑが身体に装着される度に、通常、ネックレス３００ｑにおける特定のコイル部２２１の、コンタクトレンズ２００のコイル部２２１に対する位置や向きが異なる。従って、各コイル部３２１と、コンタクトレンズ２００のコイル部２２１との位置関係は一意に決まらない。
【００７８】
図３４には、アクセサリ３００として、上下の区別のないブレスレット３００ｒが例示されている。ブレスレット３００ｒは、例えば、貴金属や宝石などが一列に配置された環形状となっている。ブレスレット３００ｒにおいて、複数のコイル部３２１は、例えば、貴金属や宝石などに沿って等間隔に並んで配置されている。ブレスレット３００ｒが身体に装着される度に、通常、ブレスレット３００ｒにおける特定のコイル部２２１の、コンタクトレンズ２００のコイル部２２１に対する位置や向きが異なる。従って、各コイル部３２１と、コンタクトレンズ２００のコイル部２２１との位置関係は一意に決まらない。
【００７９】
図３５には、アクセサリ３００として、イヤリング３００ｓが例示されている。イヤリング３００ｓは、耳に固定する耳掛部３１０ｓと、耳掛部３１０ｓに揺動可能に固定されたリング部３１０ｔとを有している。リング部３１０ｔは、例えば、貴金属で構成された環形状となっている。イヤリング３００ｓにおいて、複数のコイル部３２１は、例えば、リング部３１０ｔに等間隔に並んで配置されている。イヤリング３００ｓが身体に装着されたとき、イヤリング３００ｓにおけるリング部３１０ｔは、人の動きに応じて揺れ動いている。従って、各コイル部３２１と、コンタクトレンズ２００のコイル部２２１との位置関係は一意に決まらない。
【００８０】
図３６には、アクセサリ３００として、指輪３００ｔが例示されている。指輪３００ｔは、所定の指に挿通可能な開口径を有するリング部３１０ｕを有している。リング部３１０ｕにおいて、複数のコイル部３２１は、例えば、リング部３１０ｕに等間隔に並んで配置されている。指は、日常生活の中で活発に動かされるので、指にはめた指輪３００ｔの各コイル部３２１と、コンタクトレンズ２００のコイル部２２１との位置関係は一意に決まらない。
【００８１】
図３７には、アクセサリ３００として、腕時計３００ｕが例示されている。腕時計３００ｕは、時刻などを表示する本体部３１０ｖと、本体部３１０ｖを腕に固定するためのベルト部３１０ｗとを有している。ベルト部３１０ｗにおいて、複数のコイル部３２１は、例えば、ベルト部３１０ｗにおいて、各コイル部３２１の延在方向が互いに異なるように配置されている。腕は、日常生活の中で活発に動かされるので、腕にはめた腕時計３００ｕの各コイル部３２１と、コンタクトレンズ２００のコイル部２２１との位置関係は一意に決まらない。
【００８２】
このように、図３３〜図３７に記載のアクセサリ３００では、当該アクセサリ３００が身体に装着されたときに各コイル部３２１とコンタクトレンズ２００のコイル部２２１との位置関係が一意に決まらない。しかし、各コイル部３２１の延在方向が互いに異なる。これにより、アクセサリ３００における少なくとも１つのコイル部３２１と、コンタクトレンズ２００のコイル部２２１との通信が容易となるので、出力レベルを低く抑えることが可能となる。その結果、消費電力や人体への影響を抑えつつ、データ送信をすることができる。
【００８３】
図３８は、図２７〜図３７に記載のアクセサリ３００に設けられた通信部３２０の回路構成の一例を表したものである。本変形例では、通信部３２０は、例えば、図３８に示したように、延在方向の互いに異なる複数のコイル部３２１と、各コイル部３２１と直列に接続されるキャパシタ３２２および負荷３２３と、マルチプレクサ３２４とを有している。各コイル部３２１の一端は、互いに電気的に接続されている。キャパシタ３２２および負荷３２３は、各コイル部３２１の一端が互いに電気的に接続された接続点を介して、各コイル部３２１と直列に接続されている。マルチプレクサ３２４は、複数のコイル部３２１の中から選択した１つのコイル部３２１と負荷３２３とを互いに電気的に接続するスイッチである。
【００８４】
複数のコイル部３２１の中から、コイル部２２１との通信に寄与する１つのコイル部３２１がマルチプレクサ３２４によって選択されることにより、極めて低い消費電力を実現することができる。従って、消費電力や人体への影響を抑えつつ、データ送信をすることができる。
【００８５】
なお、本変形例において、各コイル部３２１が、例えば、図３９に示したように、互いに直列に接続されていてもよい。この場合、マルチプレクサ３２４は必要なく、互いに直列に接続された複数のコイル部３２１が、キャパシタ３２２および負荷３２３に直列に接続される。このようにした場合であっても、各コイル部３２１と、コイル部２２１との距離は比較的近いので、消費電力や人体への影響を抑えつつ、データ送信をすることができる。
【００８６】
[変形例Ｄ]
図４０は、コンタクトレンズ２００の平面構成の一変形例を表したものである。本変形例では、コンタクトレンズ２００は、レンズ部２１０の表面に沿って延在する複数のコイル部２２１を有している。複数のコイル部２２１は、例えば、レンズ部２１０の端縁に沿って配置されている。
【００８７】
図４１は、本変形例に係るコンタクトレンズ２００に設けられた通信部２２０の回路構成の一例を表したものである。本変形例では、通信部２２０は、例えば、図４１に示したように、延在方向の互いに異なる複数のコイル部２２１と、各コイル部２２１と直列に接続されるキャパシタ２２２および交流電源２２３と、マルチプレクサ２２４とを有している。各コイル部２２１の一端は、互いに電気的に接続されている。キャパシタ２２２および交流電源２２３は、各コイル部２２１の一端が互いに電気的に接続された接続点を介して、各コイル部２２１と直列に接続されている。マルチプレクサ２２４は、複数のコイル部２２１の中から選択した１つのコイル部２２１と交流電源２２３とを互いに電気的に接続するスイッチである。
【００８８】
複数のコイル部２２１の中から、コイル部３２１との通信に寄与する１つのコイル部２２１がマルチプレクサ２２４によって選択されることにより、極めて低い消費電力を実現することができる。従って、消費電力や人体への影響を抑えつつ、データ送信をすることができる。
【００８９】
なお、本変形例において、各コイル部２２１が、例えば、図４２に示したように、互いに直列に接続されていてもよい。この場合、マルチプレクサ２２４は必要なく、互いに直列に接続された複数のコイル部２２１が、キャパシタ２２２および交流電源２２３に直列に接続される。このようにした場合であっても、各コイル部２２１と、コイル部３２１との距離は比較的近いので、消費電力や人体への影響を抑えつつ、データ送信をすることができる。
【００９０】
[変形例Ｅ]
図４３Ａは、コンタクトレンズ２００の平面構成の一変形例を表したものである。本変形例では、コンタクトレンズ２００は、レンズ部２１０の表面に沿って延在する複数のコイル部２２１と、レンズ部２１０の表面と交差する方向に延在する１または複数のコイル部２２１とを有している。レンズ部２１０の表面と交差する方向に延在する１または複数のコイル部２２１は、例えば、レンズ部２１０の表面に沿って延在する複数のコイル部２２１によって囲まれた領域内に設けられている。
【００９１】
レンズ部２１０の表面と交差する方向に延在する１または複数のコイル部２２１は、例えば、レンズ部２１０の表面と交差する方向に回転中心軸を有するらせん状の配線によって構成されている。なお、図４３Ａでは、レンズ部２１０の表面と交差する方向に延在する１つのコイル部２２１が一巻きの配線で構成されているように見える。しかし、これは、レンズ部２１０の表面と交差する方向に延在する１つのコイル部２２１が、例えば、図２５Ｂに示したようなＣ形状の配線層２１５Ｃが積層方向において互いに重なり合って一巻きの配線のように見えるためである。
【００９２】
なお、レンズ部２１０の表面と交差する方向に延在する１または複数のコイル部２２１は、例えば、図４３Ｂに示したように、レンズ部２１０の表面と平行な１つの面内に渦巻き状に形成された配線によって構成されていてもよい。
【００９３】
本変形例において、各コイル部２２１が互いに直列に接続されていてもよい。また、本変形例において、複数のコイル部２２１の中から、コイル部３２１との通信に寄与する１つのコイル部２２１がマルチプレクサ２２４によって選択されてもよい。
【００９４】
本変形例では、上記実施の形態およびその変形例と同様、消費電力や人体への影響を抑えつつ、データ送信をすることができる。
【００９５】
[変形例Ｆ]
上記実施の形態およびその変形例において、コンタクトレンズ２００の通信部２２０が、例えば、図４４に示したように、回動機構２２５を有していてもよい。回動機構２２５は、コイル部２２１を、回動機構２２５を回転中心として回転させる機構であり、手動もしくは電気的な制御によりコイル部２２１を回転させる。また、上記実施の形態およびその変形例において、アクセサリ３００の通信部３２０が、例えば、図４５に示したように、回動機構３２５を有していてもよい。回動機構３２５は、コイル部３２１を、回動機構３２５を回転中心として回転させる機構であり、手動もしくは電気的な制御によりコイル部３２１を回転させる。
【００９６】
[変形例Ｇ]
上記実施の形態およびその変形例では、キャパシタ３２２は、コイル部３２１に直列に接続され、キャパシタ２２２はコイル部２２１に直列に接続されていた。
【００９７】
しかし、上記実施の形態およびその変形例において、キャパシタ３２２は、例えば、図４６、図４７、図４８に示したように、コイル部３２１に並列に接続されていてもよい。なお、図４７には、キャパシタ３２２が、各コイル部３２１と、マルチプレクサ３２４とに並列に接続されている様子が例示されている。また、図４８には、キャパシタ３２２が、直列に接続された全てのコイル部３２１を含む電流パスと並列に接続されている様子が例示されている。
【００９８】
また、上記実施の形態およびその変形例において、キャパシタ２２２は、例えば、図４９、図５０、図５１に示したように、コイル部２２１に並列に接続されていてもよい。なお、図５０には、キャパシタ２２２が、各コイル部２２１と、マルチプレクサ２２４とに並列に接続されている様子が例示されている。また、図５１には、キャパシタ２２２が、直列に接続された全てのコイル部２２１を含む電流パスと並列に接続されている様子が例示されている。
【００９９】
このように、キャパシタ３２２がコイル部３２１に直列に接続されたり、キャパシタ２２２がコイル部２２１に直列に接続されたりしている場合であっても、上記実施の形態およびその変形例と同様、消費電力や人体への影響を抑えつつ、データ送信をすることができる。
【０１００】
[変形例Ｈ]
上記実施の形態およびその変形例において、コンタクトレンズ２００（通信部２２０）と、アクセサリ３００（通信部３２０）との通信に、上記の近距離の無線通信に加えて、さらに、ＷＬＡＮ（Wireless LAN）、やＢＴ（ブルートゥース（登録商標））、ＬＴＥ（Long Term Evolution）などの中距離の無線通信が用いられてもよい。このようにした場合には、コンタクトレンズ２００（通信部２２０）と、アクセサリ３００（通信部３２０）との通信を確実に行うことができる。
【０１０１】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【０１０２】
また、例えば、本開示は以下のような構成を取ることができる。
（１）
眼球に装着されるレンズ部と、
レンズ部に設けられ、生体情報を取得する取得部と、
前記取得部で取得された前記生体情報を、人体に装着される外部機器に出力する出力部と
を備え、
前記出力部は、前記レンズ部の表面に沿って延在する１または複数のコイルアンテナと、前記１または複数のコイルアンテナに直列もしくは並列に接続されるキャパシタとを有する
コンタクトレンズ。
（２）
前記１または複数のコイルアンテナは、前記レンズ部の端縁に沿って配置されている
（１）に記載のコンタクトレンズ。
（３）
前記１または複数のコイルアンテナは、
絶縁層を間にして配置された２つの配線層と、
前記絶縁層と同一の層内に設けられ、前記２つの配線層を互いに電気的に接続する接続部と
を含んで構成されている
（１）または（２）に記載のコンタクトレンズ。
（４）
前記キャパシタは、前記２つの配線層と同一の層内に設けられた、２つのパッド層によって構成されている
（３）に記載のコンタクトレンズ。
（５）
コンタクトレンズと通信を行う通信部を備え、
前記通信部は、延在方向が互いに異なる複数のコイルアンテナと、各前記コイルアンテナと直列もしくは並列に接続されるキャパシタとを有する
アクセサリ。
（６）
当該アクセサリは、当該アクセサリが身体に装着されたときに各前記コイルアンテナと前記コンタクトレンズとの位置関係が一意に決まらない形態となっているか、または、腕、指もしくは脚に装着されるものである
（５）に記載のアクセサリ。
（７）
当該アクセサリは、ネックレス、ブレスレット、イヤリング、指輪、または、腕時計である
（６）に記載のアクセサリ。
（８）
コンタクトレンズと通信を行う通信部を備えたアクセサリであって、
前記通信部は、当該アクセサリが身体に装着されたときに前記コンタクトレンズと通信可能な方向に延在するコイルアンテナと、前記コイルアンテナと直列もしくは並列に接続されたキャパシタとを有する
アクセサリ。
（９）
当該アクセサリは、当該アクセサリが身体に装着されたときに前記コイルアンテナと前記コンタクトレンズとの位置関係が一意に決まる形態となっている
（８）に記載のアクセサリ。
（１０）
当該アクセサリは、イヤホン、ネックレス、眼鏡、ネクタイピン、バッジ、ヘッドセット、帽子、ヘルメット、シュノーケル用のマスク、スキー用のゴーグル、着け毛、または、カツラである
（９）に記載のアクセサリ。
【０１０３】
本出願は、日本国特許庁において２０１７年１０月５日に出願された日本特許出願番号第２０１７−１９５３２６号を基礎として優先権を主張するものであり、この出願のすべての内容を参照によって本出願に援用する。
【０１０４】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019069555.tif 000003
【図２】
2019069555.tif 000004
【図３】
2019069555.tif 000005
【図４】
2019069555.tif 000006
【図５】
2019069555.tif 000007
【図６】
2019069555.tif 000008
【図７】
2019069555.tif 000009
【図８】
2019069555.tif 000010
【図９】
2019069555.tif 000011
【図１０】
2019069555.tif 000012
【図１１】
2019069555.tif 000013
【図１２】
2019069555.tif 000014
【図１３】
2019069555.tif 000015
【図１４】
2019069555.tif 000016
【図１５】
2019069555.tif 000017
【図１６Ａ】
2019069555.tif 000018
【図１６Ｂ】
2019069555.tif 000019
【図１７】
2019069555.tif 000020
【図１８】
2019069555.tif 000021
【図１９】
2019069555.tif 000022
【図２０】
2019069555.tif 000023
【図２１】
2019069555.tif 000024
【図２２】
2019069555.tif 000025
【図２３】
2019069555.tif 000026
【図２４】
2019069555.tif 000027
【図２５Ａ】
2019069555.tif 000028
【図２５Ｂ】
2019069555.tif 000029
【図２５Ｃ】
2019069555.tif 000030
【図２６】
2019069555.tif 000031
【図２７】
2019069555.tif 000032
【図２８】
2019069555.tif 000033
【図２９】
2019069555.tif 000034
【図３０】
2019069555.tif 000035
【図３１】
2019069555.tif 000036
【図３２】
2019069555.tif 000037
【図３３】
2019069555.tif 000038
【図３４】
2019069555.tif 000039
【図３５】
2019069555.tif 000040
【図３６】
2019069555.tif 000041
【図３７】
2019069555.tif 000042
【図３８】
2019069555.tif 000043
【図３９】
2019069555.tif 000044
【図４０】
2019069555.tif 000045
【図４１】
2019069555.tif 000046
【図４２】
2019069555.tif 000047
【図４３Ａ】
2019069555.tif 000048
【図４３Ｂ】
2019069555.tif 000049
【図４４】
2019069555.tif 000050
【図４５】
2019069555.tif 000051
【図４６】
2019069555.tif 000052
【図４７】
2019069555.tif 000053
【図４８】
2019069555.tif 000054
【図４９】
2019069555.tif 000055
【図５０】
2019069555.tif 000056
【図５１】
2019069555.tif 000057
【国際調査報告】
2019069555.tif 000058
2019069555.tif 000059
2019069555.tif 000060